(57)【要約】【課題】  ジャンパコードの余長が輻輳することを防止して、接続先の切り替えや追加接続等の配線処理を容易にすることができる光配線方法を得る。【解決手段】  装置の左右に分けて配置される第１の棚群４３と第２の棚群４５は互いの各段の収納棚の高さを揃えた構成とし、ジャンパコード３で接続するスプリッタモジュール４とカプラモジュール５とが、同一段に位置するスプリッタモジュール収納棚４７とカプラモジュール収納棚４８に収納されるように、予め各棚群に収納するスプリッタモジュール４及びカプラモジュール５をグループ分けしておく。【選択図】        図１
2009069716.tif 000002
【特許請求の範囲】
【請求項１】
所内光ファイバと接続される複数のスプリッタモジュールを収納するスプリッタモジュール収納棚が多段に装備された第１の棚群と、所外光ファイバと接続される複数のカプラモジュールを収納するカプラモジュール収納棚が多段に装備された第２の棚群とを、装置の左右に分けて配置し、前記スプリッタモジュールと前記カプラモジュールとをジャンパコードで接続する光配線装置内の光配線方法であって、
第１の棚群と第２の棚群は互いの各段の棚の高さを揃えた構成とし、
前記ジャンパコードで接続する前記スプリッタモジュールと前記カプラモジュールとが、同一段に位置するスプリッタモジュール収納棚とカプラモジュール収納棚に収納されるように、予め各棚群に収納するスプリッタモジュール及びカプラモジュールをグループ分けしたことを特徴とする光配線方法。
【請求項２】
前記ジャンパコードが、接続する前記スプリッタモジュールと前記カプラモジュールとが決定しているモジュール間にのみ装着されることを特徴とする請求項１に記載の光配線方法。
【請求項３】
前記ジャンパコードとして、予め長さの異なる複数種のジャンパコードを用意しておき、
前記スプリッタモジュールと前記カプラモジュールとを接続する際には、余長が最短となる長さのジャンパコードを選択することを特徴とする請求項２に記載の光配線方法。
【請求項４】
所内光ファイバと接続される複数のスプリッタモジュールを収納するスプリッタモジュール収納棚が多段に装備された第１の棚群と、所内光ファイバと接続される複数のカプラモジュールを収納するカプラモジュール収納棚が多段に装備された第２の棚群とを、装置の左右に分けて配置し、前記スプリッタモジュールと前記カプラモジュールとをジャンパコードで接続する光配線装置であって、
第１の棚群と第２の棚群は互いの各段の棚の高さを揃えた構成とし、
前記ジャンパコードで接続する前記スプリッタモジュールと前記カプラモジュールとが、同一段に位置するスプリッタモジュール収納棚とカプラモジュール収納棚に収納されるように、予め各棚群に収納するスプリッタモジュール及びカプラモジュールがグループ分けされていることを特徴とする光配線装置。
【請求項５】
前記ジャンパコードが、接続する前記スプリッタモジュールと前記カプラモジュールとが決定しているモジュール間にのみ装着されることを特徴とする請求項４に記載の光配線装置。
【請求項６】
前記ジャンパコードとして、予め長さの異なる複数種のジャンパコードが用意されており、
前記スプリッタモジュールと前記カプラモジュールとを接続する際には、余長が最短となる長さのジャンパコードが選択使用されることを特徴とする請求項５に記載の光配線装置。
【請求項７】
同一段のスプリッタモジュール収納棚とカプラモジュール収納棚との間に、前記ジャンパコードの余長を収納する余長収納部が設けられたことを特徴とする請求項４乃至６のいずれか一項に記載の光配線装置。
【請求項８】
各スプリッタモジュール収納棚及びカプラモジュール収納棚の前方に配置される余長収容トレイが、上部トレイと、該上部トレイの下方に位置して前記上部トレイよりも前方への突出長が長い下部トレイとの２段構造に形成されていることを特徴とする請求項４乃至７のいずれか一項に記載の光配線装置。
【請求項９】
前記下部トレイが、前方下方に向かってスライド可能に取り付けられていることを特徴とする請求項８に記載の光配線装置。
【請求項１０】
前記上部トレイが、棚の幅方向に延在するバー部材で、上下に回動可能に取り付けられていることを特徴とする請求項８又は９に記載の光配線装置。
【請求項１１】
前記上部トレイが、ジャンパコードを挟む隙間が適宜間隔で並ぶ櫛歯構造を成していることを特徴とする請求項８又は９に記載の光配線装置。
【発明の詳細な説明】
【技術分野】
【０００１】
本発明は、所内光ファイバが接続されるスプリッタモジュールと、所外光ファイバが接続されるカプラモジュールとを、ジャンパコードを介して切り替え可能に接続する光配線装置、及び該装置上での光配線方法に関する。
【背景技術】
【０００２】
図９は、所内光ケーブル１Ａから延び出た所内光ファイバ１と所外光ケーブル２Ａから延び出た所外光ファイバ２とをジャンパ用光ファイバであるジャンパコード３を介して切り替え可能に接続する配線接続構造１００を示したものである。
【０００３】
所内光ファイバ１は、光分配素子である光スプリッタ４ａを有するスプリッタモジュール４と光コネクタ１１により接続される。所外光ファイバ２は、光カプラ５ａを有するカプラモジュール５と光コネクタ１２により接続される。そして、光コネクタ１４により光スプリッタ４ａに接続された複数本のジャンパコード３は整列盤６を介してカプラモジュール５に光コネクタ１３により接続され、これにより所内光ファイバ１と所外光ファイバ２とが接続された状態となる。
【０００４】
そして、このような配線接続構造１００を高密度で実装可能にした光配線装置として、図１０に示す光配線装置が提案されている。
ここに示した光配線装置２１は、下記特許文献１に開示されたもので、第１の棚群２３と第２の棚群２５とが装置筐体２２内の左右に分かれて設けられている。
【０００５】
第１の棚群２３は、所内光ファイバ１と接続される複数のスプリッタモジュール４を収納するスプリッタモジュール収納棚２７が上下に多段に装備された構成になっている。各スプリッタモジュール収納棚２７には、図９に示したスプリッタモジュール４が、装置前面側にアクセス面を向けた状態で、水平方向に多数整列配置されている。
【０００６】
また、第２の棚群２５は、所外光ファイバ２と接続される複数のカプラモジュール５を収納するカプラモジュール収納棚２８が上下に多段に装備された構成になっている。各カプラモジュール収納棚２８には、図９に示したカプラモジュール５が、装置前面側にアクセス面を向けた状態で、水平方向に多数整列配置されている。
【０００７】
そして、第１の棚群２３に収納されているスプリッタモジュール４と、第２の棚群２５に収納されているカプラモジュール５とが、装置前面側からジャンパコード３で接続されている。
ジャンパコード３としては、接続するスプリッタモジュール４とカプラモジュール５との間の離間距離に関係なく、同一の長さのものが使用される。
従来の光配線装置２１では、第１の棚群２３や第２の棚群２５における各モジュール４，５は、特に接続相手の位置等を考慮せずに収納されていたため、接続相手先の位置がどこであっても上記ジャンパコード３の長さが不足することがないように、上記ジャンパコード３の長さは、第１の棚群２３及び第２の棚群２５内で離間距離が最大となる位置に配置されたスプリッタモジュール４とカプラモジュール５との接続に必要な長さ（即ち、最大長）に設定されている。
【０００８】
また、図１０に示した従来例では、ジャンパコード３は、その中間部を第１の棚群２３と第２の棚群２５との間のスペースに装備した整列盤６に保持されることで、装置床面に垂れることを防止しているが、整列盤６を省略して第１の棚群２３と第２の棚群２５との間の空きスペースにジャンパコード３の余長を垂らすようにして収容する光配線装置も提案されている（例えば、特許文献２参照）。
【０００９】
また、図１０では示していないが、通常、第１の棚群２３に収納された全てのスプリッタモジュール４に対して、それぞれ１本ずつジャンパコード３を接続しておいて、接続先が決まっていないスプリッタモジュール４に接続されたジャンパコード３は、個別に収納袋に詰めて第１の棚群２３の周囲に設けた保留端収納架に吊り下げ保管する構成も提案されている（例えば、特許文献３参照）。
【００１０】
【特許文献１】特開２０００−２２４６１９号公報
【特許文献２】特開２００１−１３３６３４号公報
【特許文献３】特開２００１−９１７５５号公報
【発明の開示】
【発明が解決しようとする課題】
【００１１】
ところで、従来の光配線装置２１では、複数段の収納棚の前面を斜行するようにジャンパコード３が布設されるケースが発生し易いこと、更には、ジャンパコード３の長さが、第１の棚群２３及び第２の棚群２５内で離間距離が最大となるスプリッタモジュール４とカプラモジュール５との接続に必要な長さ（即ち、最大長）に統一されていること等が原因となって、ジャンパコード３が多数接続されると、それぞれのジャンパコード３の余長が輻輳し、接続先の切り替えや追加接続等の配線処理が困難になるという問題を招いた。
【００１２】
また、接続先が決まっていないスプリッタモジュール４に予め接続されたジャンパコード３は、個別に収納袋に詰めて第１の棚群２３の周囲に設けた保留端収納架に吊り下げ保管する構成の光配線装置では、接続先が未決定のスプリッタモジュール４が多数存在する場合には、ジャンパコードの保留端処理のために収納力の高い大型の保留端収納架が必要となる。そして、この大型の保留端収納架の装備のために、装置筐体２２内の配置スペースが圧迫されて、実際にスプリッタモジュールやカプラモジュールの実装に利用できる配置スペースが低減するという問題が生じた。
【００１３】
本発明の目的は上記課題を解消することに係り、ジャンパコードの余長が輻輳することを防止して、接続先の切り替えや追加接続等の配線処理を容易にすることができ、また、接続先の決まっていないジャンパコードの保留端処理のために装置筐体内の配置スペースが圧迫されることがなく、実際にスプリッタモジュールやカプラモジュールの実装に利用できる配置スペースを増大させることができる光配線方法及び光配線装置を提供することを目的とする。
【課題を解決するための手段】
【００１４】
（１）上記した課題を解決するために、本発明による光配線方法は、所内光ファイバと接続される複数のスプリッタモジュールを収納するスプリッタモジュール収納棚が多段に装備された第１の棚群と、所外光ファイバと接続される複数のカプラモジュールを収納するカプラモジュール収納棚が多段に装備された第２の棚群とを、装置の左右に分けて配置し、前記スプリッタモジュールと前記カプラモジュールとをジャンパコードで接続する光配線装置内の光配線方法であって、
第１の棚群と第２の棚群は互いの各段の棚の高さを揃えた構成とし、
前記ジャンパコードで接続する前記スプリッタモジュールと前記カプラモジュールとが、同一段に位置するスプリッタモジュール収納棚とカプラモジュール収納棚に収納されるように、予め各棚群に収納するスプリッタモジュール及びカプラモジュールをグループ分けしたことを特徴とする。
【００１５】
（２）また、上記（１）に記載の光配線方法は、前記ジャンパコードが、接続する前記スプリッタモジュールと前記カプラモジュールとが決定しているモジュール間にのみ装着されることを特徴としても良い。
【００１６】
（３）また、上記（２）に記載の光配線方法は、前記ジャンパコードとして、予め長さの異なる複数種のジャンパコードを用意しておき、
前記スプリッタモジュールと前記カプラモジュールとを接続する際には、余長が最短となる長さのジャンパコードを選択することを特徴としても良い。
【００１７】
（４）また、上記した課題を解決するために、本発明による光配線装置は、所内光ファイバと接続される複数のスプリッタモジュールを収納するスプリッタモジュール収納棚が多段に装備された第１の棚群と、所内光ファイバと接続される複数のカプラモジュールを収納するカプラモジュール収納棚が多段に装備された第２の棚群とを、装置の左右に分けて配置し、前記スプリッタモジュールと前記カプラモジュールとをジャンパコードで接続する光配線装置であって、
第１の棚群と第２の棚群は互いの各段の棚の高さを揃えた構成とし、
前記ジャンパコードで接続する前記スプリッタモジュールと前記カプラモジュールとが、同一段に位置するスプリッタモジュール収納棚とカプラモジュール収納棚に収納されるように、予め各棚群に収納するスプリッタモジュール及びカプラモジュールがグループ分けされていることを特徴とする。
【００１８】
（５）また、上記（４）に記載の光配線装置は、前記ジャンパコードが、接続する前記スプリッタモジュールと前記カプラモジュールとが決定しているモジュール間にのみ装着されることを特徴としても良い。
【００１９】
（６）また、上記（５）に記載の光配線装置は、前記ジャンパコードとして、予め長さの異なる複数種のジャンパコードが用意されており、
前記スプリッタモジュールと前記カプラモジュールとを接続する際には、余長が最短となる長さのジャンパコードが選択使用されることを特徴としても良い。
【００２０】
（７）また、上記（４）乃至（６）のいずれか一つに記載の光配線装置は、同一段のスプリッタモジュール収納棚とカプラモジュール収納棚との間に、前記ジャンパコードの余長を収納する余長収納部が設けられたことを特徴としても良い。
【００２１】
（８）また、上記（４）乃至（７）のいずれか一つに記載の光配線装置は、各スプリッタモジュール収納棚及びカプラモジュール収納棚の前方に配置される余長収容トレイが、上部トレイと、該上部トレイの下方に位置して前記上部トレイよりも前方への突出長が長い下部トレイとの２段構造に形成されていることを特徴としても良い。
【００２２】
（９）また、上記（８）に記載の光配線装置は、前記下部トレイが、前方下方に向かってスライド可能に取り付けられていることを特徴としても良い。
【００２３】
（１０）また、上記（８）又は（９）に記載の光配線装置は、前記上部トレイが、棚の幅方向に延在するバー部材で、上下に回動可能に取り付けられていることを特徴としても良い。
【００２４】
（１１）また、上記（８）又は（９）に記載の光配線装置は、前記上部トレイが、ジャンパコードを挟む隙間が適宜間隔で並ぶ櫛歯構造を成していることを特徴としても良い。
【発明の効果】
【００２５】
本発明による光配線方法及び光配線装置によれば、ジャンパコードにより接続されるスプリッタモジュールとカプラモジュールとは、同一高さに並ぶスプリッタモジュール収納棚とカプラモジュール収納棚とに位置するようにグループ分けされているため、複数段の収納棚の前面を斜行するようにジャンパコードが布設されるケースは発生しない。即ち、スプリッタモジュール収納棚やカプラモジュール収納棚が多段に装備されていても、各段毎に、ジャンパコードを分けて整然と布設することができる。
更に、使用するジャンパコードの長さも限定され、高さ位置がずれている収納棚相互間での接続が発生する従来の場合と比較すると、余長を大幅に短縮することができ、且つ、余長収納を各収納棚毎に分別することができる。
従って、ジャンパコードの余長が輻輳することを防止して、接続先の切り替えや追加接続等の配線処理を容易にすることができる。
【発明を実施するための最良の形態】
【００２６】
以下、本発明に係る光配線方法及び光配線装置の好適な実施の形態について、図面を参照して詳細に説明する。
図１は本発明に係る光配線装置の第１の実施の形態の正面図、図２は図１に示した光配線装置において同一段に配置されたスプリッタモジュール収納棚とカプラモジュール収納棚との間の配線構造を示す斜視図、図３は図２に示した配線接続構造を説明するスプリッタモジュール収納棚とカプラモジュール収納棚の一段分の拡大斜視図である。
【００２７】
この第１の実施の形態の光配線装置４１は、図９に示した配線接続構造１００を高密度で実装可能にしたもので、第１の棚群４３と第２の棚群４５とが装置筐体４２内の左右に分かれて設けられている。
【００２８】
第１の棚群４３は、所内光ファイバ１と接続される複数のスプリッタモジュール４を収納するスプリッタモジュール収納棚４７が上下に多段に装備された構成になっている。各スプリッタモジュール収納棚４７には、図９に示したスプリッタモジュール４が、装置前面側にアクセス面（光コネクタ１４を接続する面）を向けた状態で、水平方向に多数整列配置されている。
【００２９】
また、第２の棚群４５は、所外光ファイバ２と接続される複数のカプラモジュール５を収納するカプラモジュール収納棚４８が上下に多段に装備された構成になっている。各カプラモジュール収納棚４８には、図９に示したカプラモジュール５が、装置前面側にアクセス面（光コネクタ１３を接続する面）を向けた状態で、水平方向に多数整列配置されている。
【００３０】
本実施の形態の場合、第１の棚群４３と第２の棚群４５は互いの各段の棚の高さを揃えた構成となっている。
更に、ジャンパコード３で接続するスプリッタモジュール４とカプラモジュール５とが、同一段に位置するスプリッタモジュール収納棚４７とカプラモジュール収納棚４８に収納されるように、予め各棚群に収納するスプリッタモジュール４及びカプラモジュール５がグループ分けされている。
【００３１】
従って、図２及び図３に示すように、同一段で左右に並ぶスプリッタモジュール収納棚４７とカプラモジュール収納棚４８との間で、装置前面側からジャンパコード３による接続が行われる。
【００３２】
更に、本実施の形態の場合、ジャンパコード３は、接続するスプリッタモジュール４とカプラモジュール５とが決定しているモジュール間にのみ装着されており、接続先（加入者）が未決定のスプリッタモジュール４に保留端としてジャンパコード３を装備していない。
【００３３】
また、本実施の形態の場合、ジャンパコード３として、予め長さの異なる複数種のジャンパコード３Ａ，３Ｂ，３Ｃが用意されており、スプリッタモジュール４とカプラモジュール５とを接続する際には、図３に示すように、余長が最短となる長さのジャンパコードが選択使用される。
【００３４】
図２及び図３に示したように、各スプリッタモジュール収納棚４７及びカプラモジュール収納棚４８の前方には、余長収容トレイ５１が装備されていて、ジャンパコード３の余長はこの余長収容トレイ５１の上に載置される。
【００３５】
以上に説明した第１の実施の形態の光配線装置４１及びその光配線方法によれば、ジャンパコード３により接続されるスプリッタモジュール４とカプラモジュール５とは、同一高さに並ぶスプリッタモジュール収納棚４７とカプラモジュール収納棚４８とにグループ分けされているため、従来例で示したような複数段の収納棚の前面を斜行するようにジャンパコード３が布設されるケースは発生しない。即ち、スプリッタモジュール収納棚４７やカプラモジュール収納棚４８が多段に装備されていても、図３に示したように、各段毎に、ジャンパコード３を分けて整然と布設することができる。
更に、使用するジャンパコード３の長さも、高さ位置がずれている収納棚相互間での接続が発生する従来の場合と比較すると、余長を大幅に短縮することができ、且つ、余長収納を各収納棚毎に分別することができる。
従って、ジャンパコード３の余長が輻輳することを防止して、接続先の切り替えや追加接続等の配線処理を容易にすることができる。
【００３６】
また、上記第１の実施の形態の光配線装置４１における光配線方法では、ジャンパコード３が、接続するスプリッタモジュール４とカプラモジュール５とが決定しているモジュール間にのみ装着されるようにしており、接続先が未決定のスプリッタモジュール４に保留端としてジャンパコード３を予め接続しないため、接続先が未決定のジャンパコードを仮収納しておく保留端収納架が不要であり、保留端収納架を装備して保留端処理をしていた従来の光配線装置と比較すると、ジャンパコードの保留端処理のために装置筐体内の配置スペースが圧迫されることがなく、スプリッタモジュールやカプラモジュールの実装に利用できる配置スペースを増大させることができる。
【００３７】
また、上記第１の実施の形態の光配線装置４１における光配線方法では、ジャンパコード３として、図３に示したように、予め長さの異なる複数種のジャンパコード３Ａ，３Ｂ，３Ｃを用意しておき、スプリッタモジュール４とカプラモジュール５とを接続する際には、余長が最短となる長さのジャンパコードを選択するため、収納する余長量を大幅に削減でき、これによっても、ジャンパコードの輻輳を防止することができる。
【００３８】
図４は本発明に係る光配線装置の第２の実施の形態の要部を示したものである。
この第２の実施の形態の光配線装置では、図４（ａ）に示すように、同一段に並ぶ収納棚４７，４８間に、ジャンパコード３の余長を収納するポケット状に形成した余長収納部５３を装備している。
余長収納部５３は、収納棚４７，４８間の空きスペースを利用したもので、収納棚４７，４８間を内奥に向かって徐々に下がる傾斜とした空間に形成されていて、図４（ｂ）に示すように、該余長収納部５３に余長を収納させることにより、余長収容トレイ５１の上のジャンパコード３をよりスッキリと整理させることができる。
【００３９】
図５は本発明に係る光配線装置の第３の実施の形態の要部を示したものである。
この第３の実施の形態の光配線装置では、図５（ａ）に示すように、各スプリッタモジュール収納棚４７及びカプラモジュール収納棚４８の前方に配置される余長収容トレイ５１が、上部トレイ５１Ａと、該上部トレイ５１Ａの下方に位置して上部トレイ５１Ａよりも前方への突出長が長い下部トレイ５１Ｂとの２段構造に形成されている。
【００４０】
このように余長収容トレイ５１が２段構造に形成されていると、ジャンパコード３を収納する面積が増えると同時に、図５（ｂ），（ｃ）に示すように、上部トレイ５１Ａ上では装置幅（左右）方向にジャンパコード３が横たわらないように整列させた余長収納が可能になり、ジャンパコード３の接続作業がより容易になる。
【００４１】
図６は本発明に係る光配線装置の第４の実施の形態の要部を示したものである。
この第４の実施の形態の光配線装置では、下部トレイ５１Ｂが、図中の矢印Ｃで示すように、前方下方に向かってスライド可能に取り付けられている。
このように、下部トレイ５１Ｂがスライド可能に取り付けられていると、ジャンパコード３の装着作業時には、下部トレイ５１Ｂを前方下方に向かって引き出した状態にしておくことにより、上部トレイ５１Ａの存在が障害とならずに下部トレイ５１Ｂへの余長収納作業が行い易くなり、作業性を向上させることができる。
【００４２】
図７は本発明に係る光配線装置の第５の実施の形態の要部を示したものである。
この第５の実施の形態の光配線装置では、上部トレイ５１Ａが、棚の幅方向に延在するバー部材で、図中の矢印Ｄで示すように、各スプリッタモジュール収納棚４７及びカプラモジュール収納棚４８の前方側において上下に回動可能に取り付けられている。
バー部材で形成された上部トレイ５１Ａは、例えば結束バンド等で、ジャンパコード３の出入り部分を固定することで、装着したジャンパコード３を固定支持させることができる。
また、ジャンパコード３の余長を下部トレイ５１Ｂに収納する作業の時には、上部トレイ５１Ａを上方に回動させることで、上部トレイ５１Ａの存在を障害とせず収納作業を容易にすることができる。
【００４３】
図８は本発明に係る光配線装置の第６の実施の形態の要部を示したものである。
この第６の実施の形態の光配線装置では、上部トレイ５１Ａが、ジャンパコード３を挟む隙間５５が適宜間隔で並ぶ櫛歯構造に形成されている。
このような上部トレイ５１Ａでは、結束バンド等を使用せずに、櫛歯構造の隙間５５にジャンパコード３を割り込ませるだけで、ジャンパコード３の出入り部を位置決め固定することができ、ジャンパコード３の装着時における作業性が向上すると同時に、ジャンパコード３の収納状態をより整然と整理することが可能になる。
【図面の簡単な説明】
【００４４】
【図１】本発明に係る光配線装置の第１の実施の形態の正面図である。
【図２】図１に示した光配線装置において同一段に配置されたスプリッタモジュール収納棚とカプラモジュール収納棚との間の配線構造を示す斜視図である。
【図３】図２に示したスプリッタモジュール収納棚とカプラモジュール収納棚の一段分の拡大斜視図である。
【図４】（ａ）は本発明に係る光配線装置の第２の実施の形態の余長収納部の斜視図、（ｂ）は（ａ）に示した余長収納部にジャンパコードの余長が収納された状態の説明図、（ｃ）は（ｂ）のＡ−Ａ断面図である。
【図５】（ａ）は本発明に係る光配線装置の第３の実施の形態の余長収容トレイの斜視図、（ｂ）は（ａ）に示した余長収容トレイ上でのジャンパコードの余長収容状態を示す斜視図、（ｃ）は（ｂ）のＢ−Ｂ断面図である。
【図６】本発明に係る光配線装置の第４の実施の形態となる２段構造の余長収容トレイの斜視図である。
【図７】本発明に係る光配線装置の第５の実施の形態となる２段構造の余長収容トレイの斜視図である。
【図８】本発明に係る光配線装置の第６の実施の形態となる２段構造の余長収容トレイの斜視図である。
【図９】所内光ファイバと所外光ファイバとをジャンパコードを介して接続する配線接続構造の説明図である。
【図１０】従来の光配線装置の斜視図である。
【符号の説明】
【００４５】
１  所内光ファイバ
２  所外光ファイバ
３  ジャンパコード
４  スプリッタモジュール
５  カプラモジュール
１３  光コネクタ
１４  光コネクタ
４１  光配線装置
４３  第１の棚群
４５  第２の棚群
４７  スプリッタモジュール収納棚
４８  カプラモジュール収納棚
５１  余長収容トレイ
５１Ａ  上部トレイ
５１Ｂ  下部トレイ
５３  余長収納部
【図１】
2009069716.tif 000003
【図２】
2009069716.tif 000004
【図３】
2009069716.tif 000005
【図４】
2009069716.tif 000006
【図５】
2009069716.tif 000007
【図６】
2009069716.tif 000008
【図７】
2009069716.tif 000009
【図８】
2009069716.tif 000010
【図９】
2009069716.tif 000011
【図１０】
2009069716.tif 000012